(57)【要約】【課題】大流量飲み、小流量飲み及びストロー飲みが一つの製品で可能な幼児用マグカップを提供する。【解決手段】開口凸部にオネジを有し、左右側部に係止突起を有する容器本体と、環状体の両側に一対の取っ手を有し、容器本体に冠せられ、環状体の内側に係止突起に係合する係止溝を備える取っ手部と、飲み口ガイド付きの開口孔を備え、内側に設けられたメネジがオネジに螺合して開口凸部にネジ着され、取っ手部を容器本体に押え込むキャップ本体と、キャップ本体の内側に回動可能に嵌め込まれ、開口孔に連通可能な大流量飲み孔、小流量飲み孔及びストロー飲み孔が設けられ、３通りの飲み方が可能な回動パッキンと、キャップ本体に開閉可能にヒンジ結合される蓋と、が備えられる。【選択図】図４
2018000603.tif 000002
【特許請求の範囲】
【請求項１】
開口凸部にオネジを有し、左右側部に係止突起を有する容器本体と、
環状体の両側に一対の取っ手を有し、前記容器本体に冠せられ、前記環状体の内側に前記係止突起に係合する係止溝を備える取っ手部と、
飲み口ガイド付きの開口孔を備え、内側に設けられたメネジが前記オネジに螺合して前記開口凸部にネジ着され、前記取っ手部を前記容器本体に押え込むキャップ本体と、
前記キャップ本体の内側に回動可能に嵌め込まれ、前記開口孔に連通可能な大流量飲み孔、小流量飲み孔及びストロー飲み孔が設けられ、３通りの飲み方が可能な回動パッキンと、
前記キャップ本体に開閉可能にヒンジ結合される蓋と、
が備えられることを特徴とする幼児用マグカップ。
【請求項２】
前記パッキンには、指掛け孔が設けられることを特徴とする請求項１に記載の幼児用マグカップ。
【請求項３】
前記蓋の前側にリブ状突起が設けられ、前記キャップ本体に係合凹部が設けられ、前記リブ状突起と前記係合凹部を係合させて前記蓋を閉じ、前記蓋を開く時は、前記蓋の指押し部を押圧して、前記蓋をゆがませて係合を解除することを特徴とする請求項１に記載の幼児用マグカップ。
【発明の詳細な説明】
【技術分野】
【０００１】
本発明は、幼児用マグカップに係り、より詳しくは、使用者が好みの流量を３パターンである（ア）大流量飲み口、（イ）小流量飲み口、（ウ）ストロー飲み口、から選べる構造の幼児用マグカップに関する。
【背景技術】
【０００２】
特許文献１には、容器の両側に一対の取っ手が設けられ、飲み口部にストローが設けられた幼児用マグカップが示される。特許文献２には、キャップ飲み口部に直接口をつけて飲む「コップ飲み」（上記（ア）（イ）に相当）が可能で、飲み口形状は使用者が一目で飲み口と分かり飲みやすい形状のガイドが設けられ、こぼさないように飲めるコップが示される。しかしながら、幼児が車の中でコップの水を飲むような場合、振動でこぼれないようストロー飲み（ウ）が望ましく、イス等に座ってテーブル等で飲む場合は、コップ飲み（上記（ア）（イ）に相当）が望ましい。すなわち、一つの製品で、どのような飲み方でも可能な飲料容器があると便利である。
【先行技術文献】
【特許文献】
【０００３】
【特許文献１】特開２００５−２１２８２１号公報
【特許文献２】特開２０００−５０２３号公報
【発明の概要】
【発明が解決しようとする課題】
【０００４】
本発明の目的は、大流量飲み、小流量飲み及びストロー飲みが一つの製品で可能な幼児用マグカップを提供することにある。
【課題を解決するための手段】
【０００５】
本発明による幼児用マグカップは、開口凸部にオネジを有し、左右側部に係止突起を有する容器本体と、環状体の両側に一対の取っ手を有し、前記容器本体に冠せられ、前記環状体の内側に前記係止突起に係合する係止溝を備える取っ手部と、飲み口ガイド付きの開口孔を備え、内側に設けられたメネジが前記オネジに螺合して前記開口凸部にネジ着され、前記取っ手部を前記容器本体に押え込むキャップ本体と、前記キャップ本体の内側に回動可能に嵌め込まれ、前記開口孔に連通可能な大流量飲み孔、小流量飲み孔及びストロー飲み孔と、が設けられた回動パッキンと、前記キャップ本体に開閉可能にヒンジ結合される蓋と、が備えられることを特徴とする。
【０００６】
前記パッキンには、指掛け孔が設けられることを特徴とする。
【０００７】
前記蓋の前側にリブ状突起が設けられ、前記キャップ本体に係合凹部が設けられ、前記リブ状突起と前記係合凹部を係合させて前記蓋を閉じ、前記蓋を開く時は、前記蓋の指押し部を押圧して、前記蓋をゆがませて係合を解除することを特徴とする。
【発明の効果】
【０００８】
大流量飲み孔、小流量飲み孔及びストロー飲み孔を設けた回動パッキンをキャップ本体の内側に嵌め込み、キャップ本体の開口孔と連通可能にしたので、パッキン側に設けられた大流量飲み孔、小流量飲み孔、及びストロー飲み孔それぞれの飲み孔部を使用用途に合わせて嵌め変えて利用できる。どの飲み方にするかは、飲み物を容器本体に注入し、キャップ本体を装着する際、回動パッキンを回動することで自由に設定できる。すなわち、流量または飲み方調整機能付きの幼児用マグカップを提供できる。
【０００９】
パッキンに指掛け孔を設けたので、パッキンを取り外すことや、パッキンの回動が容易にできる。
【００１０】
蓋を閉じる時は、蓋のリブ状突起とキャップ本体の係合凹部を係合させるので、容易に蓋が開かないようにできる。また、蓋を開く時は、蓋の素材特性を生かしゆがませて係合を解除するようにしたので、バネなどの係合を維持する部材がなく簡単な構成にできる。
【図面の簡単な説明】
【００１１】
【図１】本発明による幼児用マグカップの斜視図である。
【図２】本発明による幼児用マグカップの正面図である。
【図３】本発明による幼児用マグカップの右側面図である。
【図４】本発明による幼児用マグカップの部品構成図である。
【図５】図４の回動パッキンをキャップ本体内部に装着する説明図である。
【図６】回動パッキンを回動して３つの飲み口にする説明図である。（ａ）は小流量飲みとする場合、（ｂ）ストロー飲みとする場合、（ｃ）は大流量飲みとする場合の説明図である。
【図７】図１で蓋を開く場合の説明図である。
【発明を実施するための形態】
【００１２】
以下、図面を参照して、本発明による幼児用マグカップを詳しく説明する。
【実施例１】
【００１３】
図１は、本発明による幼児用マグカップ１００の斜視図である。幼児用マグカップ１００は、容器本体３と、容器本体３に冠せられる取っ手部６と、取っ手部６を容器本体３に押え込むキャップ本体５と、を含んで構成される。キャップ本体５には、さらに蓋１が開閉可能に設けられる。蓋１の後部は、キャップ本体５とヒンジ４で結合される。
【００１４】
図２は、本発明による幼児用マグカップ１００の正面図である。取っ手部６には、両側に取っ手２、２が設けられる。幼児はこのマグカップを両手でしっかりと持つことができる。正面上部の丸い膨らんだ部分は、蓋１とキャップ本体５の係合部７である。寸法はこれに限るものではないが、高さが約９６ｍｍ、横幅が１３４ｍｍ、奥行きが８９ｍｍである。全体にずんぐりした形状である。なお、幼児用マグカップ１００は、両側に取っ手を設けたが、幼児に使用が制限されるものではなく、子供やお年寄りでも使用できる。
【００１５】
図３は、本発明による幼児用マグカップ１００の右側面図である。取っ手２は、上部より下部を太くして持ちやすくしている。容量は約２３０ｍｌである。なお、容器本体３の後ろ表面には、５０ｍｌ単位で棒状の目盛が刻印されている。
【００１６】
図４は、本発明による幼児用マグカップ１００の部品構成図である。下から上に向かって説明する。容器本体３は、材質がポリプロピレンまたは飽和ポリエステル樹脂からなり、開口凸部２２を有する。開口凸部の下側に係止突起１１、１１が設けられる。また、開口凸部２２の外側にはオネジ１３が設けられる。次に、取っ手部６は、材質がポリプロピレンまたはＡＢＳまたはＰＥからなり、両側に取っ手２、２を有し、上部が環状体６ａに形成され、容器本体３の開口凸部２２に冠せられる。その時、内側の係止溝１２、１２が容器本体３の係止突起１１、１１に係合される。これにより、取っ手部６は回動ができない状態となる。
【００１７】
図４に示すように、回動パッキン１０には、飲み口の形態に対応して３つの孔が設けられる。回動パッキン１０は、材質がシリコーン製で、キャップ本体５の内側に回動可能に嵌め込まれる。図４では、回動パッキン１０の孔の１つにストロー９を挿入しているが、ストロー９を使用しない場合もあり、まず、回動パッキン１０をキャップ本体５の内側に装着し、次にキャップ本体５を容器本体３に装着した後、ストロー９を回動パッキン１０の孔に挿入する。ストロー９は容器本体３の深さに合った適切な長さのストローが提供される。市販のストローを適切な長さに切断して使用することもできる。
【００１８】
キャップ本体５は、容器本体３の開口凸部２２にネジ着される。これにより、取っ手部６を容器本体３に押え込む。キャップ本体５は、材質がポリプロピレンまたはＡＢＳまたはＰＥである。キャップ本体５は、飲み口ガイド８が付いた開口孔１５を有する。キャップ本体５は、後方側にヒンジ４が設けられ、前方側には係合凹部７ｂが設けられる。
【００１９】
蓋１は、キャップ本体５に開閉可能にヒンジ結合される。そのため挟み込み突起４ａが、キャップ本体５のヒンジ４にキツク嵌め込まれる。また、蓋１には、リブ状突起７ａが設けられ、キャップ本体５の係合凹部７ｂに係合させることで蓋１を閉じることができる。係合部７の外側、蓋１の膨らんだ部分を押し、蓋１をゆがませて係合を解除し、蓋１を開く。なお、蓋１の材質はポリプロピレンまたはＡＢＳまたはＰＥである。そのため、弾性があり、ゆがませても元に戻る。
【００２０】
図５は、図４の回動パッキン１０をキャップ本体内部に装着する説明図である。図５は下方向から見た図で、キャップ本体５の内側には、メネジ１４が設けられて、ここに容器本体３の開口凸部２２の外側に設けられたオネジ１３が螺合する。これにより、取っ手部６を容器本体３に押え込む。キャップ本体５は、上下に仕切り円板で仕切られている。仕切り円板には開口孔１５が貫通している。回動パッキン１０は、仕切り円板に当接するように嵌め込まれる。回動パッキン１０には、開口孔１５に連通可能な小流量飲み孔１９、ストロー飲み孔１７、及び大流量飲み孔１８が設けられる。これら飲み孔が開口孔１５と連通するように回動パッキン１０を回動させることで、使用する飲み孔を設定できる。回動パッキン１０の飲み孔の径方向には、指掛け孔２０ａ、２０ｂ、２０ｃが設けられる。指掛け孔に指の先端を入れ、湾曲部をつまむようにして、パッキンの取り外しや、回動を行なう。回動パッキン１０は、装着状態では、容器本体３の開口凸部２２とキャップ本体５の仕切り円板で押圧されるので、オネジ１３とメネジ１４の隙間から内部の水などが漏れないようにできる。
【００２１】
図６は、回動パッキン１０を回動して３つの飲み口にする説明図である。（ａ）は小流量飲みとする場合、（ｂ）ストロー飲みとする場合、（ｃ）は大流量飲みとする場合の説明図である。（ａ）では、キャップ本体５の開口孔１５に、回動パッキン１０の小流量飲み孔１９を連通させている。（ｂ）では、キャップ本体５の開口孔１５に、ストロー飲み孔１７を連通させている。そしてストロー９を差し込んでいる。（ｃ）では、キャップ本体５の開口孔１５に、大流量飲み孔１８を連通させている。（ａ）と（ｃ）の場合、幼児は、飲み口ガイド８に口を付けて容器本体３内の水などを飲むことができる。（ｂ）の場合、幼児は、ストローで容器本体３内の水などを飲むことができる。
【００２２】
図６に示すように、蓋１には、無底筒状の止水栓２１が設けられる。止水栓２１は、蓋１が閉じた状態では開口孔１５を塞ぐ。止水栓２１は、ストロー９が差し込まれていても、ストロー９上端が筒状の止水栓２１の中に入り込むので、蓋１を閉めることができる。蓋１には、リブ状突起７ａが設けられ、キャップ本体５の係合凹部７ｂに係合させて蓋１を閉じることができる。
【００２３】
図７は、図１で蓋を開く場合の説明図である。（ａ）に示すように、係合部７の上部である指押し部２３を後方に向かって押圧する。これによって、蓋１がゆがむので、リブ状突起７ａと係合凹部７ｂの係合が解除できる。（ｂ）に示すように、蓋１を押し上げる。そして（ｃ）に示すように、蓋１を容器本体３の後方に倒すと蓋に設けられた乗り越え部Ｚがキャップ本体に設けられたキャップ本体突起Ｘを程よい強さで乗り越えて、乗り越えた後はその位置にとどまるので、幼児が口を上に向けて、マグカップを大きく傾けて水を飲む場合でも、蓋１が元の閉じた位置に動くことはない。乗り越え部Ｚ、キャップ本体突起Ｘは、一例として断面が円形で棒状のものとすることができる。
【００２４】
本実施例では、パッキンには大流量飲み孔と小流量飲み孔とストロー孔を設けたが、大流量飲み孔とストロー孔のみが備えられたパッキンや、大流量飲み孔と小流量飲み孔のみが備えられたパッキンが追加で提供されてもよい。
【産業上の利用可能性】
【００２５】
本発明によれば、大流量飲み、小流量飲み及びストロー飲みができるので、幼児用マグカップとして好適である。
【符号の説明】
【００２６】
１    蓋
２    取っ手
３    容器本体
４    ヒンジ
４ａ    挟み込み突起
５    キャップ本体
６    取っ手部
６ａ    環状体
７    係合部
７ａ    リブ状突起
７ｂ    係合凹部
８    飲み口ガイド
９    ストロー
１０    回動パッキン
１１    係止突起
１２    係止溝
１３    オネジ
１４    メネジ
１５    開口孔
１７    ストロー孔
１８    大流量飲み孔
１９    小流量飲み孔
２０ａ、２０ｂ、２０ｃ    指掛け孔
２１    止水栓
２２    開口凸部
２３    指押し部
１００    幼児用マグカップ
Ｚ      乗り越え突起
Ｘ      キャップ本体突起
【図１】
2018000603.tif 000003
【図２】
2018000603.tif 000004
【図３】
2018000603.tif 000005
【図４】
2018000603.tif 000006
【図５】
2018000603.tif 000007
【図６】
2018000603.tif 000008
【図７】
2018000603.tif 000009